(57)【要約】【課題】建物の天井部又は壁部の下地材上にルーバー構造を形成するために施工される化粧リブ材Ａに対し、その外面に打ち込まれる釘の打ち込み作業を容易化する。【解決手段】化粧リブ材Ａは中芯部材１と化粧部材５とを備える。中芯部材１は、建物の天井部における野縁Ｂ（下地材）上に固定可能な底部１ａと、この底部１ａの幅方向両端から互いに平行に延びる板状の側壁部１ｂにより断面コ字状に設けられていて、底部１ａが野縁Ｂに固定されたときに野縁Ｂと反対側である下側に開口する。化粧部材５は、中芯部材１にその開口側から中芯部材１を覆うように外嵌合される断面コ字状の部材とする。化粧部材５は、化粧部材５の側部５ｂを貫通する釘Ｎにより中芯部材１の側壁部１ｂに固定され、かつ内側面が中芯部材１の側壁部１ｂ外面に接着剤Ｓにより接着されている。【選択図】図４
2020159158.tif 000002
【特許請求の範囲】
【請求項１】
建物の天井部又は壁部の下地材上にルーバー構造を形成するために施工される化粧リブ材であって、
上記下地材に固定可能な底部と、該底部の幅方向両端から互いに平行に延びる側壁部とにより断面コ字状に設けられ、上記底部が下地材に固定されたときに下地材と反対側に開口する中芯部材と、
上記中芯部材にその開口側から該中芯部材を覆うように外嵌合される断面コ字状の化粧部材とを備え、
上記化粧部材は、化粧部材の側部を貫通する固定具により中芯部材の少なくとも側壁部に固定され、かつ内側面が中芯部材の側壁部外面に接着されていることを特徴とする化粧リブ材。
【請求項２】
請求項１において、
化粧部材が不燃材料からなることを特徴とする化粧リブ材。
【請求項３】
請求項１又は２において、
中芯部材の側壁部先端面が化粧部材の内底面に当接又は近接していることを特徴とする化粧リブ材。
【請求項４】
請求項１〜３のいずれか１つにおいて、
化粧部材の内底面に補強材が固定されていることを特徴とする化粧リブ材。
【請求項５】
請求項１〜４のいずれか１つの化粧リブ材が建物の天井部又は壁部の下地材に施工されていることを特徴とするルーバー構造。
【請求項６】
請求項１〜４のいずれか１つの化粧リブ材の施工方法であって、
下地材上に中芯部材を底部にて中芯部材の開口側が下地材と反対側に向くように固定し、
上記中芯部材の側壁部外面又は化粧部材の内側面の少なくとも一方に接着剤を塗布した後、
化粧部材を中芯部材に該中芯部材の開口側から外嵌合し、
化粧部材の側部を貫通する固定具により該化粧部材を中芯部材の少なくとも側壁部に固定することを特徴とする化粧リブ材の施工方法。
【発明の詳細な説明】
【技術分野】
【０００１】
本発明は、化粧リブ材、その施工方法及びルーバー構造に関する。
【背景技術】
【０００２】
一般に、この種の化粧リブ材は、建物の天井部や壁部に施工されてルーバー天井やルーバー壁として利用される。例えば特許文献１に示されるように、化粧リブ材からなる複数本の天井ルーバーを、天井部に吊り下げられたストリンガーに対しそれと直交するように配置し、各天井ルーバーを上端部でストリンガーに固定することにより、天井部を透かし構造としたものが知られている。
【先行技術文献】
【特許文献】
【０００３】
【特許文献１】特開２０１３−２３８０６４号公報
【発明の概要】
【発明が解決しようとする課題】
【０００４】
ところで、このような化粧リブ材として、その下地材側の裏面に凹溝が形成されたものが考えられる。このものでは、予め下地材に断面矩形状の受け材を固定しておいて、その受け材を化粧リブ材の凹溝に嵌合し、その状態で化粧リブ材の側面からネイル（釘）を受け材まで達するように打ち込んで、化粧リブ材を受け材に固定するようにする。こうすれば、施工時には下地材に受け材を固定して、それに化粧リブ材を取り付けるだけで済み、これらの作業を完成後の天井部の上側や壁部の裏側でなく、天井部の下側や壁部の表側から容易に行うことができる。しかも、化粧リブ材の側面からネイルを打ち込むことで、化粧リブ材の表面から打ち込むときのように、釘頭が見えたり長いネイルが必要になったりすることはない利点が得られる。
【０００５】
しかし、その場合、化粧リブ材の側面からネイルを受け材まで達するように打ち込むので、化粧リブ材側面のネイルの打ち込み位置は下地材に近い位置となる。そうすると、ルーバー天井やルーバー壁の施工時には複数の化粧リブ材を例えば一定ピッチの間隔をあけて並べて施工することから、その化粧リブ材間のスペース（空間）に釘打ち工具を下地材近くの奥部まで入れた状態でネイルを打ち込む必要があり、その作業が面倒になる。特に化粧リブ材の高さ（下地材から化粧リブ材表面までの寸法）が高いときには顕著となる。
【０００６】
本発明は斯かる諸点に鑑みてなされたもので、その目的は、化粧リブ材の構造にさらに改良を加えることで、化粧リブ材側面の固定具の打ち込み位置を下地材から離れた位置として、化粧リブ材への固定具の打ち込み作業を容易化することにある。
【課題を解決するための手段】
【０００７】
上記の目的を達成すべく、この発明では、化粧リブ材は、開口側が下地材と反対側に位置した状態で下地材に取り付けられる受け材としての断面コ字状の中芯部材と、中芯部材に外嵌合状態で組み付けられる断面コ字状の化粧部材とを備えたものとし、化粧部材は断面コ字状の受け部材にその開口側端部でネイル等の固定具で固定されるようにした。
【０００８】
具体的には、第１の発明は、建物の天井部又は壁部の下地材上にルーバー構造を形成するために施工される化粧リブ材であって、上記下地材に固定可能な底部、及び該底部の幅方向両端から互いに平行に延びる側壁部により断面コ字状に設けられ、上記底部が下地材に固定されたときに下地材と反対側に開口する中芯部材と、この中芯部材にその開口側から該中芯部材を覆うように外嵌合される断面コ字状の化粧部材とを備え、化粧部材は、化粧部材の側部を貫通する固定具により中芯部材の少なくとも側壁部に固定され、かつ内側面が中芯部材の側壁部外面に接着されていることを特徴とする。
【０００９】
この第１の発明では、化粧リブ材における中芯部材は断面コ字状に設けられ、その底部が下地材に固定されることで、底部の幅方向両端から互いに平行に延びる側壁部が下地材から離れる側に向き、両側壁部先端間の開口が下地材と反対側に開いた状態となる。この中芯部材に対し、断面コ字状の化粧部材が中芯部材の開口側から中芯部材を覆うように外嵌合され、この化粧部材は、化粧部材の側部を貫通する固定具により中芯部材の少なくとも側壁部に固定され、かつ化粧部材の内側面が中芯部材の側壁部外面に接着される。
【００１０】
そのとき、中芯部材は断面コ字状の部材であり、化粧部材の側部を貫通する固定具は中芯部材の少なくとも側壁部に固定されるので、化粧部材の側部における固定具の打ち込み位置は中芯部材の開口側で下地材から離れた位置にすることができる。そのため、複数の化粧リブ材を間隔をあけて並べて下地材に固定してルーバー天井やルーバー壁を施工する際に、固定具を打ち込むための作業工具を複数の化粧リブ材間のスペースの下地材近くの奥部まで入れた状態で作業する必要がなくなり、下地材から離れた位置で打ち込み作業をすればよく、化粧リブ材間のピッチが狭くても、固定具の打ち込み作業が容易になって作業性や施工性を高めることができ、特に化粧リブ材の高さ（下地材から化粧リブ材表面までの寸法）が高いときには有利となる。
【００１１】
第２の発明は、第１の発明において、化粧部材が不燃材料からなることを特徴とする。こうすると、不燃性化粧リブ材への固定具の打ち込み作業を容易化することができる。
【００１２】
第３の発明は、第１又は第２の発明において、中芯部材の側壁部先端面が化粧部材の内底面に当接又は近接していることを特徴とする。
【００１３】
この第３の発明では、中芯部材の側壁部先端面が化粧部材の内底面に当接又は近接しているので、その側壁部先端面が下地材から離れて側壁部の長さが長くなる。その結果、化粧部材における固定具の打ち込み位置が下地材からさらに離れた位置になり、固定具の打ち込み作業がより一層容易になる。
【００１４】
第４の発明は、第１〜第３の発明のいずれか１つにおいて、化粧部材の内底面に補強材が固定されていることを特徴とする。このことにより、化粧部材が内底面で補強材により補強されて強度が大きくなり、その化粧部材が衝撃等により破損し易い材料であっても、施工現場等での破損を防ぐことができる。
【００１５】
第５の発明はルーバー構造に係り、このルーバー構造は、第１〜第４の発明のいずれか１つの化粧リブ材が建物の天井部又は壁部の下地材に施工されていることを特徴とする。
この発明でも第１の発明と同様の作用効果が得られる。
【００１６】
第６の発明は、第１〜第４の発明のいずれか１つの化粧リブ材の施工方法であって、下地材上に中芯部材を底部にて中芯部材の開口側が下地材と反対側に向くように固定し、上記中芯部材の側壁部外面又は化粧部材の内側面の少なくとも一方に接着剤を塗布した後、化粧部材を中芯部材に該中芯部材の開口側から外嵌合し、化粧部材の側部を貫通する固定具により該化粧部材を中芯部材の少なくとも側壁部に固定することを特徴とする。
【００１７】
この第６の発明では、化粧リブ材の施工時、中芯部材が底部にて固定具により下地材上に固定され、その固定状態では中芯部材の開口側が下地材と反対側に向いている。次いで、中芯部材の側壁部外面又は化粧部材の内側面の少なくとも一方に接着剤が塗布され、その後、化粧部材が中芯部材に該中芯部材の開口側から外嵌合される。この外嵌合状態で、化粧部材に固定具が打ち込まれ、固定具は化粧部材の側部を貫通して中芯部材の少なくとも側壁部に達し、この固定具により化粧部材が中芯部材に固定される。このようにすることで、化粧リブ材が下地材上に固定され、複数の化粧リブ材間のピッチが狭くても、固定具の打ち込み作業が容易になって作業性や施工性を高めることができる。
【発明の効果】
【００１８】
以上説明のように、本発明によると、化粧リブ材の中芯部材を断面コ字状として、化粧部材も中芯部材に外嵌合される断面コ字状とし、化粧部材の側部に固定具を打ち込まれる固定具を中芯部材の少なくとも側壁部に達するようにしたことにより、化粧部材の側部における固定具の打ち込み位置を下地材から離れた位置にすることができ、複数の化粧リブ材間のピッチが狭くても、固定具の打ち込み作業が容易になって作業性や施工性を高めることができる。
【図面の簡単な説明】
【００１９】
【図１】図１は、本発明の実施形態に係る化粧リブ材の分解斜視図である。
【図２】図２は、中芯部材の断面図である。
【図３】図３は、化粧部材の断面図である。
【図４】図４は、化粧リブ材が施工されたルーバー構造を示す断面図である。
【図５】図５は、複数の化粧リブ材を天井部に固定してルーバー天井を施工する場合に中芯部材の野縁への固定状態を下側から見て示す平面図である。
【図６】図６は、中芯部材を野縁へ固定しようとする状態を示す断面図である。
【図７】図７は、化粧部材への接着剤の塗布状態を示す断面図である。
【図８】図８は、化粧部材にネイルを打ち込む状態を示す断面図である。
【発明を実施するための形態】
【００２０】
以下、本発明の実施形態を図面に基づいて詳細に説明する。以下の実施形態の説明は、本質的に例示に過ぎず、本発明、その適用物或いはその用途を制限することを意図するものでは全くない。
【００２１】
図１は本発明の実施形態に係る化粧リブ材Ａ（ルーバー材）を示し、この化粧リブ材Ａは、図５、図６及び図８に示すように、例えば建物の天井部の下地材としての野縁Ｂ，Ｂ，…（天井野縁）上にルーバー構造を形成するために施工される。野縁Ｂは、例えば鉄等の金属で中空角筒状（図では中空状に記載していない）に形成されている。野縁Ｂは、この他、金属だけでなく木製の角材等であってもよい。
【００２２】
化粧リブ材Ａは、受け部材としての中芯部材１と、この中芯部材１に組み付けられる化粧部材５とを備えている。中芯部材１は、図２に示すように、厚板状の底部１ａと（図２で上下方向を厚さ方向とする）、この底部１ａの幅方向（図２で左右方向）の両端から互いに平行に同じ寸法だけ延びる板状の１対の側壁部１ｂ，１ｂとにより断面コ字状の長尺部材に設けられている。底部１ａは例えばその厚さ方向に積層された例えば厚さ２１ｍｍの積層合板で形成され、各側壁部１ｂは底部１ａの厚さ方向を幅方向とした例えば厚さ２．４ｍｍの合板からなっていて、底部１ａの幅方向端面に一体的に接着されている。中芯部材１の底部１ａは、図４〜図６に示すように、上記野縁Ｂ（下地材）上に裏面が当接した状態で底部１ａを厚さ方向に貫通するビスＶ（固定具）により固定可能とされ、その底部１ａで野縁Ｂに固定されたときに中芯部材１は野縁Ｂと反対側である下側に開口するようになっている。
【００２３】
尚、中芯部材１は、底部１ａに側壁部１ｂ，１ｂを一体的に接合した上記の構造に限定されず、底部と側壁部によって断面コ字状に形成されていさえすればよいものである。このような断面コ字状の形状によってその底部の厚さを薄くできるようになる。そのため、化粧リブ材Ａ（ルーバー材）を天井に施工する際は少しでも軽くなって施工において有利となるだけでなく、地震等への耐久性においても有利となる。また、ビスＶ（固定具）も短いものが使用できるので、施工作業を容易にかつ短時間で行うことができる利点も生じる。
【００２４】
一方、図３に示すように、上記化粧部材５も一側に開口する断面コ字状のもので、板状の正面部５ａと、この正面部５ａの幅方向両端部から互いに同じ向きに平行に同じ寸法だけ延びる板状の１対の側部５ｂ，５ｂとを有し、これらは例えば火山性ガラス質複層板やその他の無機材料等の不燃材料からなっている。この化粧部材５は、長尺状板材の幅方向中間部に長さ方向に延びる複数の切欠きを形成し、その切欠きで直角に折り曲げて断面コ字状としたものであり、詳細な構造については本願の出願人が既に出願している（特願２０１７−２１２５３８号明細書及び図面参照）。
【００２５】
化粧部材５の両側部５ｂ，５ｂ内面間の距離ｄ２は中芯部材１の側壁部１ｂ，１ｂ外面間の距離ｄ１よりも一定の寸法だけ大きく（ｄ２＞ｄ１）、化粧部材５の内底面である正面部５ａ内面から側部５ｂ先端面までの距離ｄ４は中芯部材１の側壁部１ｂ外面の幅ｄ３と同じか若干大きくなっている。
【００２６】
そして、化粧部材５の中芯部材１への組付状態では、図４及び図８に示すように、化粧部材５は中芯部材１に対し、化粧部材５の開口部を中芯部材１の開口部に対向させた状態で、中芯部材１の開口側から該中芯部材１の全体を覆うように外嵌合されている。そのとき、中芯部材１の各側壁部１ｂ先端面は化粧部材５の内底面である正面部５ａ内面に当接しているか、或いは若干のクリアランスをあけて近接している。
【００２７】
また、化粧部材５の各側部５ｂ内面と中芯部材１の各側壁部１ｂ外面との間には、上記距離ｄ２，ｄ１間の差により例えば０．７５ｍｍ程度の一定のクリアランスが形成され、このクリアランスに接着剤Ｓが充填されており、化粧部材５は、各側部５ｂ内面が中芯部材１の各側壁部１ｂ外面に接着剤Ｓにより接着されている。また、化粧部材５の各側部５ｂ外面においてその基端寄り部分には固定具としてのピン状のネイルＮ（釘）が例えば斜め上側に打ち込まれ、このネイルＮは化粧部材５の各側部５ｂを貫通して中芯部材１の各側壁部１ｂ先端寄り部分に到達しそれを貫通している。このことで、化粧部材５は中芯部材１の側壁部１ｂに、接着剤Ｓによる接着に加え、化粧部材５の側部５ｂを貫通するネイルＮ（固定具）により固定されている。
【００２８】
尚、ネイルＮは、その長さが長い場合に、中芯部材１の側壁部１ｂから底部１ａまで到達するように固定されていてもよい。また、ネイルＮは、可能であれば、化粧部材５の側部５ｂ及び中芯部材１の側壁部１ｂと直交する方向に打ち込むこともできる。さらに、ネイルＮは、化粧部材５の両側部５ｂ，５ｂの両方ではなく、その一方のみに打ち込んで、それに重なっている中芯部材１の側壁部１ｂに固定するようにしてもよい。
【００２９】
次に、上記化粧リブ材Ａによりルーバー構造の天井（ルーバー天井）を施工する方法について説明する。図５及び図６に示すように、建物の天井部に予め複数の野縁Ｂ，Ｂ，…（下地材）が平行に並んで固定されており、その野縁Ｂ，Ｂ，…に複数の化粧リブ材Ａ，Ａ，…を固定する場合には、各化粧リブ材Ａの中芯部材１を開口が下側（野縁Ｂと反対側）に向いた状態で野縁Ｂと直交するように配置し、その中芯部材１の底部１ａを、それを貫通するビスＶ（固定具）により野縁Ｂに固定する。
【００３０】
次に、図７に示すように、化粧部材５の各側部５ｂ先端部側の内面に線状の接着剤Ｓを長さ方向に沿って連続するように塗布した後、その化粧部材５を開口部が上側に向くように配置し（この状態では、化粧部材５の開口部が中芯部材１の開口部に上下に対向する）、その化粧部材５を中芯部材１に向かうように押し上げて中芯部材１の開口側から外嵌合する。このとき、化粧部材５の側部５ｂ先端部側の内面に塗布されている接着剤Ｓは、化粧部材５の上昇移動に伴って下方向に伸ばされながら化粧部材５の側部５ｂ内面と中芯部材１の側壁部１ｂ外面との間の略全体近くまで拡がり、これら化粧部材５の側部５ｂ内面と中芯部材１の側壁部１ｂ外面とが全体的に接着剤Ｓによって接着される。尚、接着剤Ｓは、化粧部材５の側部５ｂ内側面に代えて、中芯部材１の側壁部１ｂ外面（その先端寄り部分）に塗布してもよく、中芯部材１の側壁部１ｂ外面及び化粧部材５の側部５ｂ内側面の双方に塗布することもできる。
【００３１】
こうして化粧部材５を上昇端位置まで押し上げると、図８に示すように、化粧部材５の側部５ｂ先端面（上端面）が野縁Ｂ下面に当接ないし近接し、その化粧部材５内に中芯部材１の全体が収容されて、中芯部材１が外側に露出しない状態となる。そのため、化粧部材５が不燃材料であることで、ルーバー天井の不燃性を高めることができる。
【００３２】
しかる後、同じ図８に示すように、化粧部材５の各側部５ｂ外面における基端寄り部分に固定具としてのネイルＮ（釘）を図外の釘打ち工具によって例えば斜め上側に打ち込む。このことで、ネイルＮを化粧部材５の各側部５ｂに貫通させて中芯部材１の各側壁部１ｂ先端寄り部分に到達させ、それに貫通した状態で固定させる。以上により、１つの化粧部材５の固定が完了し、以後は他の化粧部材５の取付固定を上記と同様に行う。上記ネイルＮは、化粧部材５を中芯部材１に固定する役割があるが、両部材１，５は基本的に接着剤Ｓで固定されるので、主としてその接着剤Ｓが硬化するまで仮止めするための役割の方が大きい。
【００３３】
したがって、上記実施形態においては、化粧リブ材Ａにおける中芯部材１が断面コ字状に設けられ、その底部１ａが野縁Ｂ（下地材）上に固定されることで、中芯部材１は、底部１ａの幅方向両端から互いに平行に延びる板状の側壁部１ｂ，１ｂが野縁Ｂから離れる下側に向き、両側壁部１ｂ先端間の開口が野縁Ｂと反対の下側に開いた状態となる。この中芯部材１に対し断面コ字状の化粧部材５が中芯部材１の開口側（上側）から中芯部材１を覆うように外嵌合され、この化粧部材５は、化粧部材５の各側部５ｂを貫通するネイルＮ（固定具）により中芯部材１の側壁部１ｂに固定され、かつ化粧部材５の内側面が中芯部材１の側壁部１ｂ外面に接着剤Ｓにより接着されている。
【００３４】
そのとき、中芯部材１は断面コ字状の部材であり、化粧部材５の側部５ｂを貫通するネイルＮが中芯部材１の側壁部１ｂに固定されるので、化粧部材５におけるネイルＮの打ち込み位置は野縁Ｂから離れた下側の位置にすることができる。そのため、図８に示すように、複数の化粧リブ材Ａ，Ａ，…を間隔をあけて並べて野縁Ｂ，Ｂ，…に固定してルーバー天井を施工する際に、隣接する化粧リブ材Ａ，Ａ間のピッチが狭くても、釘打ち作業では、ネイルＮを打ち込むための釘打ち工具を化粧リブ材Ａ，Ａ間のスペースの野縁Ｂ近くの奥部（上部）まで挿入した状態で釘打ちする必要はなくなり、その釘打ち工具を化粧リブ材Ａ，Ａ間のスペースの開口側（下部）に位置付けて、野縁Ｂから離れた下側位置で釘打ちすればよく、釘Ｎの打ち込み作業が容易になって作業性や施工性を高めることができる。これは、特に化粧リブ材Ａの高さ（野縁Ｂから化粧リブ材Ａ表面までの寸法）が高いときには有利となる。
【００３５】
また、中芯部材１の側壁部１ｂ先端面が化粧部材５の内底面に当接又は近接していることにより、その側壁部１ｂ先端位置が野縁Ｂから離れて、側壁部１ｂの長さが長くなる。その結果、化粧部材５における釘Ｎの打ち込み位置を野縁Ｂからさらに離れた位置に設定することができ、釘Ｎの打ち込み作業がより一層容易になる。
【００３６】
また、化粧部材５が例えば火山性ガラス質複層板等の不燃材料であると、化粧リブ材Ａは不燃性化粧リブ材となり、その不燃性化粧リブ材Ａを並べて施工したルーバー天井の不燃性を高めることができる。そして、その不燃性化粧リブ材Ａへの釘Ｎの打ち込み作業が容易化になる。
【００３７】
（その他の実施形態）
尚、上記実施形態では、化粧リブ材Ａにおける化粧部材５を火山性ガラス質複層板等の不燃材料により形成しているが、ルーバー構造に不燃性が要求されない場合は、化粧部材５を不燃材料ではない材料、例えばＭＤＦ等の木質材により形成してもよい。
【００３８】
また、上記実施形態では、建物の天井部における野縁Ｂ，Ｂ，…（下地材）に複数の化粧リブ材Ａ，Ａ，…を固定したルーバー天井の施工構造であるが、本発明の化粧リブ材Ａは、建物の壁部に施工されるルーバー構造の壁（ルーバー壁）にも用いることができる。その場合、図４〜図６、図８に示されている野縁Ｂを、建物の壁部に固定されている横方向又は縦方向の複数本の胴縁（下地材）と見倣し、それに複数の化粧リブ材Ａ，Ａ，…を胴縁と直交するように取付固定すればよく、その取付構造は上記実施形態と同様であり、施工方法も同様となる。このことで、化粧リブ材Ａが建物の壁部に施工されているルーバー壁が得られる。
【００３９】
さらに、上記実施形態において、化粧部材５の内部底面（図３では正面部５ａの下面）に板状の補強材を接着によって固定するようにしてもよく、特に化粧リブ材Ａが建物の壁部に施工される上記ルーバー壁の場合に好ましい。
【００４０】
その場合、化粧部材５の正面部５ａ内面から側部５ｂ先端面までの距離ｄ４を中芯部材１の側壁部１ｂ外面の幅ｄ３よりもある程度大きくして、中芯部材１の各側壁部１ｂ先端面と化粧部材５の正面部５ａ内面との間に大きなクリアランスをあけておき、そのクリアランスに補強材を配置して化粧部材５の正面部５ａ内面に接着させればよい。補強材は、中芯部材１と同様に合板等で形成される。
【００４１】
このように、化粧部材５内底面に補強材が固定されていると、化粧部材５は内底面で補強材により補強されて強度が大きくなり、その化粧部材５が他のものに当たったときの衝撃等により破損し易い材料であっても、例えば施工現場等での破損を防ぐことができる利点がある。
【産業上の利用可能性】
【００４２】
本発明は、複数の化粧リブ材間のピッチが狭くても、固定具の打ち込み作業が容易になって作業性や施工性を高めることができ、極めて有用で産業上の利用可能性が高い。
【符号の説明】
【００４３】
Ａ  化粧リブ材
Ｂ  野縁
Ｖ  ビス（固定具）
Ｓ  接着剤
Ｎ  ネイル（固定具）
１  中芯部材
１ａ  底部
１ｂ  側壁部
５  化粧部材
５ａ  正面部
５ｂ  側部
【図１】
2020159158.tif 000003
【図２】
2020159158.tif 000004
【図３】
2020159158.tif 000005
【図４】
2020159158.tif 000006
【図５】
2020159158.tif 000007
【図６】
2020159158.tif 000008
【図７】
2020159158.tif 000009
【図８】
2020159158.tif 000010